(57)【要約】【課題】投入後の空き缶を取り出せないようにした持ち去り防止機能付き空き缶回収用ボックスの提供。【解決手段】開口部１３を有するボックス本体１２と、開口部１３の一部領域面を覆う固定側上蓋部２３とその残余領域面を開閉自在に覆う可動側上蓋部３３とからなる上蓋体２２とで構成され、固定側上蓋部２３と可動側上蓋部３３とは、空き缶Ｃ用の方形投入口２４，３４と、該方形投入口２４，３４を仕切る対向二辺の各側縁２４ａ，２４ｂ，３４ａ，３４ｂ側から押し下げが自在で、かつ、引き上げの阻止を可能にして方形投入口２４，３４方向に張り出させた可撓性庇部２５，２５，３５，３５とを具備させて形成され、可動側上蓋部３３は、固定側上蓋部２３側に対しその隣接側縁部３８を開閉自在に連結するとともに、ロック機構４５を介してロックとその解除とを可能に配置した。【選択図】図１
2013212923.tif 000002
【特許請求の範囲】
【請求項１】
上面に開口部を有するボックス本体と、前記開口部の一部領域面を固定的に覆う固定側上蓋部とその残余領域面を開閉自在に覆う可動側上蓋部とからなる上蓋体とで構成され、
前記固定側上蓋部と前記可動側上蓋部とは、いずれも空き缶の投入が可能な方形投入口と、該方形投入口を仕切る対向二辺の各側縁側から押し下げが自在で、かつ、引き上げの阻止を可能にして前記方形投入口方向に各別に張り出させた一対の可撓性庇部とを具備させて形成され、
前記可動側上蓋部は、前記固定側上蓋部側に対しその隣接側縁部を開閉自在に連結するとともに、前記ボックス本体に対しロック機構を介してロックとその解除とを可能に配置したことを特徴とする持ち去り防止機能付き空き缶回収用ボックス。
【請求項２】
前記可撓性庇部は、前記方形投入口の前記対向二辺に沿わせた裏面側に各別に固着配置される固定薄肉部と、前記方形投入口の前記側縁側にその段差部が当接する肉厚が付与されてそれぞれの前記固定薄肉部側から前記方形投入口方向に所定間隔を置いて突出させた複数個の可動肉厚部とで一体形成した請求項１に記載の持ち去り防止機能付き空き缶回収用ボックス。
【発明の詳細な説明】
【技術分野】
【０００１】
本発明は、缶入りビールなどのような缶入り飲食物を飲食した後に残される空き缶を資源ゴミとして回収ボックスを用いて回収する際に、不心得者による持ち去りを効果的に防止することができる持ち去り防止機能付き空き缶回収用ボックスに関する技術である。
【背景技術】
【０００２】
例えばアルミニウム缶などの空き缶は、金属素材としての価値が比較的高いこともあって、地域住民からの提供を受けて各地方公共団体により資源ゴミとして回収されている例が多い。
【０００３】
この場合、空き缶は、折り畳まれた状態のものを上面に開口部を有する回収用ボックスとなるように広げた上で、その際の開口面を介してその内部に投入することで回収されているのが一般的である。
【０００４】
しかし、このような状態のもとで空き缶を回収する場合には、大きく口を開けている開口部から簡単に手を入れることができるので、不心得者による換金を目的とする回収空き缶の持ち去り行為が後を絶たない。
【０００５】
一方、機密書類等の紙類を回収するための回収ボックスについては、回収された紙類が持ち出されないように防犯性に富む構造を具備させたものも、例えば特許文献１に示すように既に提案されている。
【先行技術文献】
【特許文献】
【０００６】
【特許文献１】特開２００７−１４５４０４号公報
【発明の概要】
【発明が解決しようとする課題】
【０００７】
しかし、上記特許文献１に開示されている回収ボックスは、あくまでも機密書類等の紙類を回収するためのものであり、缶入りビールなどのような缶入り飲食物を飲食した後に残される空き缶を資源ゴミとして回収する際の持ち去り防止に好適な構造を備えるものではなかった。
【０００８】
本発明は、従来技術にみられた上記課題に鑑み、空き缶を投入口から投入した後は、該投入口から手を入れて空き缶を掴んでも容易には取り出すことができない持ち去り防止機能付き空き缶回収用ボックスを提供することにその目的がある。
【課題を解決するための手段】
【０００９】
本発明は、上記目的を達成すべくなされたものであり、上面に開口部を有するボックス本体と、前記開口部の一部領域面を固定的に覆う固定側上蓋部とその残余領域面を開閉自在に覆う可動側上蓋部とからなる上蓋体とで構成され、前記固定側上蓋部と前記可動側上蓋部とは、いずれも空き缶の投入が可能な方形投入口と、該方形投入口を仕切る対向二辺の各側縁側から押し下げが自在で、かつ、引き上げの阻止を可能にして前記方形投入口方向に各別に張り出させた一対の可撓性庇部とを具備させて形成され、前記可動側上蓋部は、前記固定側上蓋部側に対しその隣接側縁部を開閉自在に連結するとともに、前記ボックス本体に対しロック機構を介してロックとその解除とを可能に配置したことを最も主要な特徴とする
【００１０】
この場合、前記可撓性庇部のそれぞれは、前記方形投入口の前記対向二辺に沿わせた裏面側に各別に固着配置される固定薄肉部と、前記方形投入口の前記側縁側にその段差部が当接する肉厚が付与されてそれぞれの前記固定薄肉部側から前記方形投入口方向に所定間隔を置いて突出させた複数個の可動肉厚部とで一体形成するのが好ましい。
【発明の効果】
【００１１】
本発明によれば、空き缶は、手指で保持した状態のもとで方形投入口側に単に押し当てることで、可撓性庇部を押し下げつつボックス本体内に簡単に投入することができる。しかも、可撓性庇部は、これに対する押下げ力を解除することで、方形投入口を塞ぐ方向へと自動復帰させることができるほか、例えば不心得者がボックス本体内にその方形投入口から手を入れて空き缶を取り出そうとしても上方へと人為的に引き上げることができないことから、空き缶を持った状態で取り出すことができないので、空き缶の持ち去りを効果的に防止することができる。
【００１２】
また、各可撓性庇部を固定薄肉部と複数個の可動肉厚部とで一体形成する場合には、空き缶を投入する部位の可動肉厚部のみを部分的に押し下げることができるほか、ボックス本体内の空き缶の回収状況を簡単に目視確認することもできる。
【図面の簡単な説明】
【００１３】
【図１】本発明の外観構成例を示す全体斜視図。
【図２】本発明を構成する可撓性庇部の一例を対にして配置した際における部分斜視図。
【図３】本発明の要部構造例を可撓性庇部側に対し押し下げ力が作用している状態で示す要部端面図。
【図４】本発明の要部構造例を可撓性庇部側に対し押し下げ力が作用している状態で示す要部端面図。
【図５】本発明の使用状態を示す説明図であり、そのうちの（ａ）は、可撓性庇部側を押し下げながら空き缶が投入されつつある状態を、（ｂ）は、投入後の空き缶を不心得者が持ち出そうとする際の状態を、それぞれ可動側上蓋部側を例に示す。
【発明を実施するための形態】
【００１４】
本発明の外観構成例を全体斜視図として示す図１によれば、持ち去り防止機能付き空き缶回収用ボックス１１は、図１に示されているように、上面に開口部１３を有するボックス本体１２と、開口部１２の一部領域面を固定的に覆う固定側上蓋部２３とその残余領域面を開閉自在に覆う可動側上蓋部３３とからなる上蓋体２２とでその全体が構成されており、図５に示すようにして空き缶Ｃをボックス本体１２内に投入することができるようになっている。
【００１５】
このうち、合成樹脂材や木質材などからなるボックス本体１２については、所望個数の空き缶Ｃを収納することができる内部容積を備えているものでさえあれば、適宜の折畳み構造が付与されているものであっても、折り畳みができない構造ものであってもよい。
【００１６】
一方、合成樹脂材や木質材などからなる上蓋体２２は、ボックス本体１２が直方体形状を呈するものであれば、その開口面１２の一部領域面である略後半面を覆ってボックス本体１２側にネジ等の止着材４１で固定される固定側上蓋部２３と、開口面１２の残余領域面である略前半面を開閉自在に覆う可動側上蓋部３３とに二分割されて形成されている。
【００１７】
このうち、固定側上蓋部２３は、缶ビール飲用後などに生じる例えば外径が６ｃｍ程度の空き缶Ｃの投入が可能にその長さ方向に沿わせて設けられた１つの方形投入口２４と、該方形投入口２４を前後で仕切る対向二辺の各側縁２４ａ，２４ｂ側から押し下げが自在で、かつ、引き上げの阻止を可能にして方形投入口２４方向に各別に張り出させた例えばゴム素材やビニール素材などからなる一対の可撓性庇部２５，２５とを備えて形成されている。
【００１８】
この場合、各可撓性庇部２５は、図２に示されているように、方形投入口２４の各側縁２４ａ，２４ｂに沿わせた裏面２３ａ側に各別に固着配置される固定薄肉部２６と、方形投入口２４の各側縁２４ａ，２４ｂ側にその段差部２５ａが当接する肉厚が付与されてそれぞれの固定薄肉部２６側から方形投入口２４方向に所定間隔を置いて突出させた複数個の可動肉厚部２７とで一体形成されている。
【００１９】
しかも、各可撓性庇部２５は、図３に示すように固定側上蓋部２３の裏面２３ａ側に各側縁２４ａ，２４ｂ側に段差部２５ａが当接する位置関係となって固定薄肉部２６が配置され、該固定薄肉部２６の下面側の長さ方向に押さえ板５５を添設した上で、例えば小ボルト材５２と小ナット材５３などからなる止着材５１を用いて固定側上蓋部２３側に固定的に止着されている。
【００２０】
また、押さえ板５５は、その長さ方向と直交する方向での押さえ板５５の板幅が固定薄肉部２６における長さ方向と直交する方向での横幅よりも短寸となるようにして形成した上で、図３に示すように固定薄肉部２６の長さ方向での開放縁２６ａ側に沿わせるように配置することで、図４に示すように可動肉厚部２７側に比較的広い可動範囲を確保させることできるようになっている。
【００２１】
一方、可動側上蓋部３３は、例えば外径が６ｃｍ程度の空き缶Ｃの投入が可能にその長さ方向に沿わせて設けられた２つの方形投入口３４と、各方形投入口３４を前後で仕切る対向二辺の各側縁３４ａ，３４ｂ側から押し下げが自在で、かつ、引き上げの阻止を可能にして方形投入口３４方向に各別に張り出させた例えばゴム素材やビニール素材などからなる一対の可撓性庇部３５，３５とを備えて形成されている。
【００２２】
この場合、それぞれの各可撓性庇部３５は、図２に示されているように、方形投入口３４の各側縁３４ａ，３４ｂに沿わせた裏面３３ａ側に各別に固着配置される固定薄肉部３６と、方形投入口３４の各側縁３４ａ，３４ｂ側にその段差部３５ａが当接する肉厚が付与されてそれぞれの固定薄肉部３６側から方形投入口３４方向に所定間隔を置いて突出させた複数個の可動肉厚部３７とで一体形成されている。
【００２３】
しかも、各可撓性庇部３５は、図３に示すように可動側上蓋部３３の裏面３３ａ側に各側縁３４ａ，３４ｂ側に段差部３５ａが当接する位置関係となって固定薄肉部３６が配置され、該固定薄肉部３６の下面側の長さ方向に押さえ板５５を添設した上で、例えば小ボルト材５２と小ナット材５３などからなる止着材５１を用いて可動側上蓋部３３側に固定的に止着されている。
【００２４】
また、押さえ板５５は、その長さ方向と直交する方向での押さえ板５５の板幅が固定薄肉部３６における長さ方向と直交する方向での横幅よりも短寸となるようにして形成した上で、図３に示すように固定薄肉部３６の長さ方向での開放縁３６ａ側に沿わせるように配置することで、図４に示すように可動肉厚部３７側に比較的広い可動範囲を確保させることできるようになっている。
【００２５】
しかも、可動側上蓋部３３は、その隣接側縁部３８と固定側上蓋部２３の隣接側縁部２８との間にヒンジ３９を介在配置することで、開閉が自在となって固定側上蓋部２３側に連結されている。
【００２６】
さらに、可動側上蓋部３３とボックス本体１２との間には、図１に示すように適宜構造のロック機構４５を具備させることで、ロック状態を解除しない限り可動側上蓋部３３を開けることができないようになっている。
【００２７】
次に、上記構成からなる本発明の作用・効果を説明すれば、持ち去り防止機能付き空き缶回収用ボックス１１は、図１に示すような状態のもとでゴミ回収場所等の所定位置に配置される。このとき、上蓋体２２における可動側上蓋部３３は、ボックス本体１２との間に配置されているロック機構４５をロック状態とすることで開けることができないようになっている。また、各可撓性庇部２５，３５は、図３に示すようにそれぞれの段差部２５ａ，３５ａが方形投入口２４，３４の対応位置にある各側縁２４ａ，２４ｂ，３４ａ，３４ｂにより仕切られているそれぞれの側端面と当接する位置関係にある。
【００２８】
空き缶Ｃを資源ゴミとして持ち去り防止機能付き空き缶回収用ボックス１１内に投入する際には、手で持った空き缶Ｃを固定側上蓋部２３の方形投入口２４や可動側上蓋部３３の各方形投入口３４から入れることになる。
【００２９】
すなわち、可動側上蓋部３３の方形投入口３４からボックス本体１内に空き缶Ｃを投入する場合を例に説明すれば、可動側上蓋部３３の方形投入口３４は、一対の可撓性庇部３５，３５におけるそれぞれの可動厚肉部３７でその一部が塞がれているので、ボックス本体１２内に空き缶Ｃをポイ捨てすることはできず、図５（ａ）に示すように手で持った空き缶Ｃをそれぞれの可動厚肉部３７に圧接させながら押し下げることができる。
【００３０】
しかも、各可撓性庇部３５は、押さえ板５５による固定薄肉部３６側の固定状態との関係で、図４に示すように可動肉厚部３７側に比較的広い可動範囲が確保されているので、該可動肉厚部３７側を必要なだけ押し下げることでボックス本体１２内に空き缶Ｃを投入することができる。
【００３１】
一方、ボックス本体１内から回収済みの空き缶Ｃを不心得者が可動側上蓋部３３の方形投入口３４から取り出そうとする場合を例に説明すれば、一対の可撓性庇部３５，３５におけるそれぞれの可動厚肉部３７を不心得者が手で押し下げることにより、図５（ａ）に示すと同様にしてボックス本体１２内に手を入れて回収済みの空き缶Ｃを１個掴むことはできる。
【００３２】
しかし、回収済みの空き缶Ｃを１個掴んだ状態のもとで可動側上蓋部３３の方形投入口３４から取り出そうとする際には、図５（ｂ）に示すように空き缶Ｃが一対の可撓性庇部３５，３５におけるそれぞれの可動厚肉部３７側に接触することになる。
【００３３】
このとき、各可動厚肉部３７は、それぞれの段差部３５ａが方形投入口３４を仕切っている一対の３４ａ，３４ｂ側縁３４ａが位置している各側端面と掛止されるようにして当接しているので、上方に向かって撓む余地は極めて小さいものとならざるを得ず、したがって、不心得者が回収済みの空き缶Ｃを持ち出すことができないことになる。
【００３４】
つまり、本発明によれば、空き缶Ｃは、手指で保持した状態のもとで方形投入口２４，３４側に単に押し当てることで、可撓性庇部２５，３５を押し下げつつボックス本体１２内に簡単に投入することができる。しかも、可撓性庇部２５，３５は、これに対する押下げ力を解除することで、方形投入口２４，３４を塞ぐ方向へと自動復帰させることができるほか、例えば不心得者がボックス本体１２内にその方形投入口２４，３４から手を入れて空き缶Ｃを取り出そうとしても上方へと人為的に引き上げることができないことから、空き缶Ｃを持った状態で取り出すことができないので、空き缶Ｃの持ち去りを効果的に防止することができることになる。
【００３５】
また、各可撓性庇部２５，３５を固定薄肉部２６，３６と複数個の可動肉厚部２７，３７とで一体形成する場合には、空き缶を投入する部位の可動肉厚部のみを部分的に押し下げることができるほか、ボックス本体１２内の空き缶Ｃの回収状況を簡単に目視確認することもできることになる。
【００３６】
以上は、本発明を図示例に基づいて説明したものであり、その具体的な構造はこれに限定されるものではない。例えば、固定側上蓋部２３に設けられる方形投入口２４は、２以上の複数個に分割形成することもでき、また、可動側上蓋部３３の投入口３４は、１つとしたり、３以上に複数個に分割形成することもできる。さらに、可撓性庇部２５，３５は、個別に固定薄肉部２６，３６と可動厚肉部２７，３７とを備えた複数個で構成することもできる。
【符号の説明】
【００３７】
１１  持ち去り防止機能付き空き缶回収用ボックス
１２  ボックス本体
１３  開口部
２２  上蓋部
２３，３３  固定側上蓋部
２３ａ，３３ａ  裏面
２４，３４  方形投入口
２４ａ，２４ｂ，３４ａ，３４ｂ  側縁
２５，３５  可撓性庇部
２５ａ，３５ａ  段差部
２６，３６  固定薄肉部
２７，３７  可動厚肉部
２８，３８  隣接側縁部
３９  ヒンジ
４１，５１  止着材
４５  ロック機構
５２  小ボルト材
５３  小ナット部
Ｃ  空き缶
【図１】
2013212923.tif 000003
【図２】
2013212923.tif 000004
【図３】
2013212923.tif 000005
【図４】
2013212923.tif 000006
【図５】
2013212923.tif 000007